(57)【要約】      （修正有）【課題】熱膨張に対する耐久性に優れる横板型フェンスを提供する。【解決手段】横板型フェンス１０は、支柱１２，１４，１６，１８と、縦板と、横板４０，４２とを有する。横板４０，４２は、支柱１２，１４，１６，１８および縦板に前後から挟まれる。横板型フェンス１０は、固定部分と、可動部分とをさらに有する。固定部分は、支柱１２，１４，１６，１８の前面に横板４０，４２が固定される共に、この固定された横板４０，４２の前面に縦板が固定される。可動部分は、２枚の横板４０，４２の長手方向の端部４０ａ，４２ａが隙間４４を介して支柱１４，１６の前面に配置されると共に、この２枚の横板４０，４２の端部４０ａ，４２ａが縦板に押さえられる。【選択図】図２
0003184016.tif 000002
【実用新案登録請求の範囲】
【請求項１】
支柱と、縦板と、前記支柱および前記縦板に前後から挟まれる横板と、を有する横板型フェンスであって、
前記支柱の前面に前記横板が固定される共に、この固定された横板の前面に前記縦板が固定される固定部分と、
２枚の前記横板の長手方向の端部が隙間を介して前記支柱の前面に配置されると共に、この２枚の横板の端部が前記縦板に押さえられる可動部分と、
をさらに有する横板型フェンス。
【請求項２】
請求項１において、
前記支柱の前面には、最下段に配置される前記横板を下から支持する支持部材が設けられる横板型フェンス。
【請求項３】
請求項１または２において、
左右両端に設置された前記支柱以外では、前記固定部分と前記可動部分が、上下方向に交互に設けられる横板型フェンス。
【請求項４】
請求項１から３のいずれかにおいて、
前記横板の長手側面同士が接するように前記横板が設けられる横板型フェンス。
【考案の詳細な説明】
【技術分野】
【０００１】
本考案は、熱膨張に対する耐久性に優れる横板型フェンスに関するものである。
【背景技術】
【０００２】
複数の支柱に渡って横板を取り付けた横板型フェンスが知られている。従来の横板型フェンスは、支柱に横板をネジ止めして固定する。このため、季節や気候等によって横板型フェンスが熱を持つと、横板の長手方向への熱膨張による力が、接合部分である支柱に加わる。このように横板と支柱の接合部分に力が加わると、横板型フェンスが変形したり破損したりするおそれがある。
【考案の概要】
【考案が解決しようとする課題】
【０００３】
本考案はこのような事情に鑑みてなされたものであり、熱膨張に対する耐久性に優れる横板型フェンスを提供することを目的とする。
【課題を解決するための手段】
【０００４】
本考案の横板型フェンスは、支柱と、縦板と、支柱および縦板に前後から挟まれる横板と、を有する横板型フェンスであって、支柱の前面に横板が固定される共に、この固定された横板の前面に縦板が固定される固定部分と、２枚の横板の長手方向の端部が隙間を介して支柱の前面に配置されると共に、この２枚の横板の端部が縦板に押さえられる可動部分と、をさらに有する。
【０００５】
本考案の横板型フェンスにおいて、支柱の前面には、最下段に配置される横板を下から支持する支持部材が設けられることが好ましい。また、本考案の横板型フェンスにおいて、左右両端に設置された支柱以外では、固定部分と可動部分が、上下方向に交互に設けられることが好ましい。また、本考案の横板型フェンスにおいて、横板の長手側面同士が接するように横板が設けられていてもよい。
【考案の効果】
【０００６】
本考案によれば、熱膨張に対する耐久性に優れる横板型フェンスが得られる。
【図面の簡単な説明】
【０００７】
【図１】本考案の第一実施形態に係る横板型フェンスの正面図である。
【図２】本考案の第一実施形態に係る横板型フェンスから縦板を取り外した状態を示す正面図である。
【図３】本考案の第一実施形態に係る横板型フェンスの左側面図である。
【図４】図１に示す横板型フェンスのＡ−Ａ線断面図である。
【図５】本考案の第一実施形態に係る横板型フェンスの組み立て方法を説明するための正面図である。
【図６】本考案の第一実施形態に係る横板型フェンスの組み立て方法を説明するための正面図である。
【図７】本考案の第一実施形態に係る横板型フェンスの組み立て方法を説明するための正面図である。
【図８】本考案の第二実施形態に係る横板型フェンスから縦板を取り外した状態を示す正面図である。
【図９】本考案の第三実施形態に係る横板型フェンスから縦板を取り外した状態を示す正面図である。
【考案を実施するための形態】
【０００８】
以下、本考案の横板型フェンスについて、図面を参照しながら各実施形態に基づいて説明する。図面は、横板型フェンス、横板型フェンスを構成する部材、および横板型フェンスの周辺部材を模式的に表したものであり、これらの実物の寸法および寸法比は、図面上の寸法および寸法比と必ずしも一致していない。また、重複説明は適宜省略し、同一部材には同一符号を付与することがある。
【０００９】
（第一実施形態）
図１は、本考案の第一実施形態に係る横板型フェンス１０を示す正面図である。横板型フェンス１０は、４本の支柱１２，１４，１６，１８と、４本の縦板２２，２４，２６，２８と、複数枚の２種類の横板４０，４２とを備える。横板４０，４２は、支柱１２，１４，１６，１８および縦板２２，２４，２６，２８に前後から挟まれる。支柱１２，１４，１６，１８は、例えば、一辺が５ｃｍの正方形を底面とし、高さが２ｍの四角柱を中空にした形状を有し、木材、樹脂、または金属等から構成される。また、支柱１２と支柱１４の間の距離と支柱１６と支柱１８の間の距離は同じである。
【００１０】
横板４０は、例えば、長辺が２ｍで短辺が１２ｃｍの長方形の板形状を有し，木材や樹脂等から構成される。横板４２は、例えば、長辺が１ｍで短辺が１２ｃｍの長方形の板形状を有し，木材や樹脂等から構成される。なお、支柱１２，１４，１６，１８、縦板２２，２４，２６，２８、および横板４０，４２の形状、大きさ、および数量等は、上記に限定されない。
【００１１】
図２は、横板型フェンス１０から縦板２２，２４，２６，２８を取り外した状態を示す正面図である。図３は、横板型フェンス１０の左側面図である。図４は、図１に示す横板型フェンス１０のＡ−Ａ線断面図である。横板型フェンス１０は、固定部分１０Ｆと、可動部分１０Ｍとをさらに備える。固定部分１０Ｆでは、支柱１２，１４，１６，１８の前面に横板４０，４２が固定される共に、この固定された横板４０，４２の前面に縦板２２，２４，２６，２８が固定される。可動部分１０Ｍでは、２枚の横板４０，４２の長手方向の端部４０a，４２aが隙間４４を介して支柱１２，１４，１６，１８の前面に配置されると共に、この２枚の横板４０，４２の端部４０a，４２aが縦板２２，２４，２６，２８に伸縮可能に押さえられる。
【００１２】
隙間４４は、横板４０，４２が熱膨張しても、長手方向の端部４０a，４２aが接触しないように設定されている。このように、横板型フェンス１０に可動部分１０Ｍがあるため、横板４０，４２が熱によって伸縮しても、横板型フェンス１０の変形や破損が抑えられる。なお、横板４０の長手方向のもう一方の端部４０ｂも、横板型フェンス１０の左右の端に伸縮自在に配置されている。このため、横板４０は、長手方向の両端部４０a，４０ｂで伸縮できる。また、支柱１２，１４，１６，１８の前面には、最下段に配置される横板４０，４２を下から支持する支持部材４６が設けられている。このため、最下段の横板４０，４２が形成する可動部分１０Ｍで、端部４０a，４２aを上向きに保持でき、横板型フェンス１０の強度を向上させることができる。
【００１３】
また、本実施形態では、横板型フェンス１０の左右両端に設置された支柱１２，１８以外では、支柱１４，１６の上下方向に沿って、固定部分１０Ｆと可動部分１０Ｍとが交互に設けられている。このため、横板型フェンス１０は、支柱１４，１６と横板４０，４２との接合強度が少しだけ低下している可動部分１０Ｍの偏りがなく、横板型フェンス１０全体として強度が維持できる。また、横板型フェンス１０が可動部分１０Ｍを備え、横板４０，４２の熱膨張の対策ができているため、本実施形態のように、横板４０，４２の長手側面４０ｓ，４２ｓ同士が接するように横板４０，４２を設けることができる。このため、横風と視界を遮断する横板型フェンス１０が得られる。
【００１４】
横板型フェンス１０の組み立て方法は以下のとおりである。図５から図７は、横板型フェンス１０の組み立て方法を説明するための正面図である。まず、支柱１２，１４，１６，１８の下部の前面に、支持部材４６をネジ止め等で取り付ける。支持部材４６の前面には後から縦板２２，２４，２６，２８が配置されるので、支持部材４６は、上面が平らである皿ネジＳを用いて、支柱１２，１４，１６，１８の前面に取り付けることが好ましい。つぎに、図５に示すように、支柱１２，１４，１６，１８の下部を埋設し、コンクリート等で固定する。
【００１５】
そして、図６に示すように、最下段の横板４０，４２を、支柱１２，１４，１６，１８の前面に設置する。すなわち、横板４０の右端部４０aが、支柱１６の横方向の中心から約３ｍｍ左に配置されるように、横板４０を支持部材４６に載せ、横軸が支柱１４の中心で、縦軸が横板４０の上部と下部の２か所で、横板４０を支柱１４に皿ネジＳで止める。その後、横板４２の左端部４２aが、支柱１６の横方向の中心から約３ｍｍ右に配置されるように、横板４２を支持部材４６に載せ、横軸が支柱１８の中心で、縦軸が横板４２の上部と下部の２か所で、横板４２を支柱１８に皿ネジＳで止める。
【００１６】
つぎに、図７に示すように、横板４２の右端部４２aが、支柱１４の横方向の中心から約３ｍｍ左に配置されるように、横板４２を最下段の横板４０に載せ、横軸が支柱１２の中心で、縦軸が横板４２の上部と下部の２か所で、横板４２を支柱１２に皿ネジＳで止める。その後、横板４０の左端部４０aが、支柱１４の横方向の中心から約３ｍｍ右に配置されるように、横板４０を最下段の横板４０，４２に載せて、横軸が支柱１６の中心で、縦軸が横板４０の上部と下部の２か所で、横板４０を支柱１６に皿ネジＳで止める。
【００１７】
そして、上記工程を繰り返して、図２に示すような、支柱１２，１４，１６，１８と横板４０，４２から構成される構造体を作製する。つぎに、横板４０，４２を挟むようにして、支柱１２，１４，１６，１８の前面に縦板２２，２４，２６，２８を配置する。そして、図１に示すように、縦板２２，２４，２６，２８を横板４０，４２にネジ止めする。このときネジは、図４に示すように、支柱１２，１４，１６，１８にも届いている。なお、このネジは、横板４０，４２を支柱１２，１４，１６，１８にネジ止めした２か所の中心に取り付ける。最後に、支柱１２，１４，１６，１８の上部にキャップ４８を装着する。こうして、固定部分１０Ｆと可動部分１０Ｍとを備える横板型フェンス１０が組み立てられる。
【００１８】
（第二実施形態）
本考案の第二実施形態に係る横板型フェンス５０は、３本の支柱１２，１４，１６と、３本の縦板と、複数枚の２種類の横板４０，４２とを備える。図８は、横板型フェンス５０から縦板を取り外した状態を示す正面図である。横板型フェンス５０では、支柱１２，１４，１６で固定部分５０Ｆが存在し、支柱１４で可動部分５０Ｍが存在する。すなわち、可動部分５０Ｍでは、２枚の横板４２の長手方向の端部４２ａ，４２ａが隙間４４を設けて向かい合っている。また、横板４０の横方向の中心が支柱１４で固定されており、横板４０の長手方向の両端部４０a，４０ｂで伸縮できる。このため、横板型フェンス５０は熱膨張に対する耐久性に優れる。
【００１９】
（第三実施形態）
本考案の第三実施形態に係る横板型フェンス６０は、５本の支柱１２，１４，１６，１８，２０と、５本の縦板と、複数枚の２種類の横板４０，４２とを備える。図９は、横板型フェンス６０から縦板を取り外した状態を示す正面図である。横板型フェンス６０では、支柱１２，１４，１６，１８，２０で固定部分６０Ｆが存在し、支柱１４，１６，１８で可動部分６０Ｍが存在する。すなわち、可動部分６０Ｍでは、横板４０の長手方向の端部４０ａと横板４２の長手方向の端部４２ａ、横板４０の長手方向のもう一方の端部４０ｂと横板４２の長手方向の端部４２ａ、または２枚の横板４０の長手方向の端部４０ａ同士が隙間４４を設けて向かい合っている。また、横板型フェンス６０の左右の端に配置された横板４０の長手方向の端部４０ｂ，４０ｂも伸縮できる。このため、横板型フェンス６０は熱膨張に対する耐久性に優れる。
【００２０】
以上、各実施形態に基づいて本考案の横板型フェンスを説明した。上記説明から分かるように、本考案では、長手方向の長さが異なる２種類の横板を用意すれば、支柱や縦板の本数に関係なく、左右両端に設置された支柱を除いて、固定部分と可動部分とを交互に備える横板型フェンスが組み立てられる。また、横板型フェンスの左右の端において、固定部分以外の個所で可動部分を形成しない個所があるものの、この可動部分を形成しない個所でも伸縮自在に横板型フェンスを組み立てられる。したがって、本考案の横板型フェンスは、少ない種類の部材で、様々な設置場所に対応することができる。また、本考案の横板型フェンスは上記実施形態に限定されない。例えば、固定部分と可動部分とが上下方向に交互に存在しないように、横板型フェンスを組み立ててもよい。
【符号の説明】
【００２１】
１０，５０，６０  横板型フェンス
１０Ｆ，５０Ｆ，６０Ｆ  固定部分
１０Ｍ，５０Ｍ，６０Ｍ  可動部分
１２，１４，１６，１８，２０  支柱
２２，２４，２６，２８  縦板
４０，４２  横板
４０a，４２a  横板の端部
４０ｓ，４２ｓ  横板の長手側面
４４  隙間
４６  支持部材
４８  キャップ
【図１】
0003184016.tif 000003
【図２】
0003184016.tif 000004
【図３】
0003184016.tif 000005
【図４】
0003184016.tif 000006
【図５】
0003184016.tif 000007
【図６】
0003184016.tif 000008
【図７】
0003184016.tif 000009
【図８】
0003184016.tif 000010
【図９】
0003184016.tif 000011